(57)【要約】【課題】打球面の中央から先端側に、高い反発性能を有するエリアを備えるテニスラケットの提供。【解決手段】テニスラケット２では、縦方向に延びる縦ストリング２０と横方向に延びる横ストリング２２とが交差して複数のメッシュ２６が形成されている。ヘッド１２の横方向中央において、縦方向中央に位置する中央メッシュ２６の面積Ｓｃに対する、縦方向最先端に位置する先端メッシュ２６ｔの面積Ｓｔの比は、１．６以上である。上記中央メッシュ２６ｃは、縦方向を短辺とし横方向を長辺とする長方形に形成されている。【選択図】図２
2019187784.tif 000002
【特許請求の範囲】
【請求項１】
縦方向に延びる縦ストリングと横方向に延びる横ストリングとが交差して複数のメッシュが形成されており、
ヘッドの横方向中央において、縦方向中央に位置する中央メッシュの面積Ｓｃに対する、縦方向最先端に位置する先端メッシュの面積Ｓｔの比が、１．６以上であり、
上記中央メッシュが縦方向を短辺とし横方向を長辺とする長方形に形成されているテニスラケット。
【請求項２】
上記中央メッシュから上記先端メッシュまでの間で、それぞれのメッシュの面積がその先端側に隣合うメッシュの面積以下にされている請求項１に記載のテニスラケット。
【請求項３】
上記中央メッシュから上記先端メッシュまでの間で、中央から先端に向かってメッシュの面積が漸増している請求項１又は２に記載のテニスラケット。
【請求項４】
横方向において、上記縦ストリングのピッチが一定にされている請求項１から３のいずれかに記載のテニスラケット。
【請求項５】
上記ヘッドのトップからの距離Ｙが６ｃｍ、９ｃｍ、１２ｃｍ、１５ｃｍの位置での反発量をそれぞれＨｂ６  、Ｈｂ９  、Ｈｂ１２、Ｈｂ１５とするときに、
反発量Ｈｂ６  、Ｈｂ９  、Ｈｂ１２及びＨｂ１５において、最小の反発量が最大の反発量の０．９８倍以上である請求項１から４のいずれかに記載のテニスラケット。
【発明の詳細な説明】
【技術分野】
【０００１】
本発明は、テニスラケットに関する。
【背景技術】
【０００２】
特開２００２−３０６６３９号公報には、スイートエリアを拡大させたテニスラケットが開示されている。このテニスラケットでは、縦ストリングの最小間隔の長さＬ１と、横ストリングの最小間隔の長さＬ２とが所定の範囲にされ、更に、この長さＬ１と長さＬ２との比（Ｌ２／Ｌ１）が１．５０以上２．８０以下にされている。
【先行技術文献】
【特許文献】
【０００３】
【特許文献１】特開２００２−３０６６３９号公報
【発明の概要】
【発明が解決しようとする課題】
【０００４】
従来、硬式テニスのスイングでは、クラシカルスイングが主流であった。クラシカルスイングでは、テニスラケットは、ボールを捕らえるときに、手元と先端部とが略平行に移動するようにスイングされる。これに対して、近年、モダンスイングが主流となっている。このモダンスイングでは、テニスラケットは、ボールを捕らえるときに、手元より先端部が速く移動するようにスイングされる。このモダンスイングでは、速く移動する先端部近傍でボールを捕らえることで、ボールを強く打ち出すことができる。
【０００５】
従来のテニスラケットでは、スイートスポットが打球面の略中央に位置している。このテニスラケットでは、先端部近傍の反発性能は、中央部のそれより劣っている。従来のテニスラケットでは、先端部近傍でボールを強く打ち出す観点において、改善の余地がある。従来のテニスラケットでは、モダンスイングへの適用の観点で、改善の余地がある。
【０００６】
本発明の目的は、打球面の中央から先端側に、高い反発性能を有するエリアを備えるテニスラケットの提供にある。
【課題を解決するための手段】
【０００７】
本発明に係るテニスラケットでは、縦方向に延びる縦ストリングと横方向に延びる横ストリングとが交差して複数のメッシュが形成されている。ヘッドの横方向中央において、縦方向中央に位置する中央メッシュの面積Ｓｃに対する、縦方向最先端に位置する先端メッシュの面積Ｓｔの比は、１．６以上である。上記中央メッシュは、縦方向を短辺とし横方向を長辺とする長方形に形成されている。
【０００８】
好ましくは、上記中央メッシュから上記先端メッシュまでの間で、それぞれのメッシュの面積は、その先端側に隣合うメッシュの面積以下にされている。
【０００９】
好ましくは、上記中央メッシュから上記先端メッシュまでの間で、中央から先端に向かってメッシュの面積が漸増している。
【００１０】
好ましくは、横方向において、上記縦ストリングのピッチが一定にされている。
【００１１】
上記ヘッドのトップからの距離Ｙが６ｃｍ、９ｃｍ、１２ｃｍ、１５ｃｍの位置での反発量をそれぞれＨｂ６  、Ｈｂ９  、Ｈｂ１２、Ｈｂ１５とする。このときに、好ましくは、反発量Ｈｂ６  、Ｈｂ９  、Ｈｂ１２及びＨｂ１５において、最小の反発量が最大の反発量の０．９８倍以上である。
【発明の効果】
【００１２】
本発明に係るテニスラケットでは、中央メッシュが長方形とされることで、中央メッシュの面積を極端に小さくすることなく、中央メッシュの面積Ｓｃに対する先端メッシュの面積Ｓｔの比（Ｓｔ／Ｓｃ）が大きくされている。この比（Ｓｔ／Ｓｃ）が大きくされることで、先端側で高い反発性能が発揮されている。
【図面の簡単な説明】
【００１３】
【図１】図１は、本発明の一実施形態に係るテニスラケットが示された正面図である。
【図２】図２は、図１のテニスラケットの部分拡大図である。
【図３】図３は、図２の２点鎖線IIIのエリアの拡大図である。
【図４】図４は、図１のテニスラケットの試験方法の説明図である。
【図５】図５は、図１のテニスラケットと従来のテニスラケットとの、トップからの位置とメッシュの面積比との関係が示されたグラフである。
【図６】図６は、図１のテニスラケットと従来のテニスラケットとの、トップからの位置と反発量との関係が示されたグラフである。
【発明を実施するための形態】
【００１４】
以下、適宜図面が参照されつつ、好ましい実施形態に基づいて本発明が詳細に説明される。
【００１５】
図１に本発明に係るテニスラケット２が示されている。このテニスラケット２は、ラケットフレーム４、ストリング６、ヨーク８及びグリップ１０を備えている。このテニスラケット２は、硬式テニス用である。図１において、上下方向はテニスラケット２の縦方向であり、左右方向は横方向であり、紙面に垂直な方向は厚さ方向である。
【００１６】
ラケットフレーム４は、ヘッド１２、一対のスロート１４及びシャフト１６からなっている。このヘッド１２、一対のスロート１４及びシャフト１６は連続している。ヘッド１２は、上方で湾曲して折り返されている。ヘッド１２の一対の下端はヨーク８を介して接続されている。この様にして、ヘッド１２とヨーク８とが、略楕円形の環状部１８を形成している。
【００１７】
それぞれのスロート１４は、ヘッド１２の下端から下方に延びている。スロート１４は、シャフト１６に向かって互いに近付く向きに延びている。一対のスロート１４より更に下方に延びる両端部は互いに接合されている。この接合された両端部は、シャフト１６を形成している。このシャフト１６の外側に、グリップ１０が形成されている。
【００１８】
ストリング６は、ラケットフレーム４の環状部１８に張られている。この環状部１８に張られたストリング６は、複数の縦ストリング２０と複数の横ストリング２２とを形成している。これらの縦ストリング２０と横ストリング２２とによって、打球面２４が形成されている。この打球面２４は、環状部１８に囲まれた略楕円形状を備えている。この打球面２４の長径方向は、テニスラケット２の縦方向である。この打球面２４の短径方向は、テニスラケット２の横方向である。
【００１９】
このテニスラケット２では、ストリング６は、例えば１６本の縦ストリング２０と、例えば１９本の横ストリング２２とを、形成している。それぞれの縦ストリング２０は、環状部１８の内側に縦方向に延びている。それぞれの横ストリング２２は、環状部１８の内側に横方向に延びている。これらの縦ストリング２０と横ストリング２２とが交差して、複数のメッシュ２６が形成されている。それぞれのメッシュ２６の形状は、縦ストリング２０及び横ストリング２２に囲まれた四角形である。
【００２０】
図２には、環状部１８に張られた縦ストリング２０と横ストリング２２とが示されている。図２の一点鎖線Ｌｙは、ヘッド１２の縦方向に延びる、打球面２４の中心線を表している。この中心線Ｌｙは、ヘッド１２の横方向中央を通って延びている。この中心線Ｌｙは、打球面２４の縦方向寸法が最大となる位置を通る直線でもある。一点鎖線Ｌｘは、ヘッド１２の横方向に延びる、打球面２４の中心線を表している。図２の符号Ｐ０は、打球面２４の中央位置を表している。この中央位置Ｐ０は、中心線Ｌｙのうち、打球面２４に延びる線分の中点を表している。中心線Ｌｘは、この中央位置Ｐ０を通り、横方向に延びる直線である。
【００２１】
点Ｐ１は、環状部１８（ヘッド１２）と中心線Ｌｙとの上方での交点を表している。本発明では、この点Ｐ１は、ヘッド１２のトップとも称される。点Ｐ２は、環状部１８（ヨーク８）と中心線Ｌｙとの交点を表している。点Ｐ３は、環状部１８（ヘッド１２）と中心線Ｌｘとの横方向一方の交点を表している。点Ｐ４は、環状部１８（ヘッド１２）と中心線Ｌｘとの横方向他方の交点を表している。
【００２２】
図２の両矢印ｘは、横方向における縦ストリング２０の間隔を表している。この間隔ｘは、横方向に隣合う縦ストリング２０の軸線の間隔として測定される。両矢印ｙは、縦方向における横ストリング２２の間隔を表している。この間隔ｙは、縦方向に隣合う横ストリング２２の軸線の間隔として測定される。符号Ｓは、縦ストリング２０と横ストリング２２とが形成する四角形の面積を表している。この面積Ｓは、間隔ｘと間隔ｙとの積として求められる。本発明では、この面積Ｓをメッシュ２６の面積と称する。
【００２３】
本発明では、多数のメッシュ２６のうち中央位置Ｐ０が位置するメッシュ２６を、中央メッシュ２６ｃと称する。また、本発明では、横方向中央において、最もヘッド１２のトップ（点Ｐ１）に近いメッシュ２６を、先端メッシュ２６ｔと称する。
【００２４】
図３には、図２の二点鎖線IIIで囲まれたエリアの拡大図が示されている。図３の両矢印ｙ１からｙ１１は、それぞれのメッシュ２６の縦間隔ｙの大きさを表している。この縦間隔ｙは、先端側から手元側に向かって、ｙ１からｙ１１の順に規定されている。図示されないが、この縦間隔ｙは、ｙ１１により更に手元側に向かって、ｙ１２、ｙ１３、ｙ１４という様に規定されている。このテニスラケット２では、両矢印ｙ１は、先端メッシュ２６ｔの縦間隔ｙを表している。両矢印ｙ９は、中央メッシュ２６ｃの縦間隔ｙを表している。
【００２５】
このテニスラケット２では、縦間隔ｙ８から縦間隔ｙ１１は、同じ大きさにされている。縦間隔ｙ８から縦間隔ｙ１に向かって、縦間隔ｙは漸増している。同様に、縦間隔ｙ１１から手元側に向かって、縦間隔ｙは漸増している。
【００２６】
図３の両矢印ｘ１は、縦ストリング２０の横間隔ｘの大きさを表している。このテニスラケット２では、横方向において、横方向一端から他端まで、縦ストリング２０の横間隔ｘは等しい横間隔ｘ１で張られている。中央メッシュ２６ｃの横間隔ｘも、先端メッシュ２６ｔの横間隔ｘも、横間隔ｘ１にされている。
【００２７】
図３の符号Ｓ１からＳ１１は、それぞれのメッシュ２６の面積Ｓの大きさを表している。この面積Ｓは、先端側から手元側に向かって、Ｓ１からＳ１１の順に規定されている。図示されないが、この面積Ｓは、Ｓ１１により更に手元側に向かって、Ｓ１２、Ｓ１３、Ｓ１４という様に規定されている。このテニスラケット２では、面積Ｓ１は、先端メッシュ２６ｔの面積Ｓｔを表している。面積Ｓ９は、中央メッシュ２６ｃの面積Ｓｃを表している。
【００２８】
このテニスラケット２では、面積Ｓ８、Ｓ９、Ｓ１０及びＳ１１が同じ大きさにされている。言い換えると、面積Ｓ８、Ｓ１０及びＳ１１は、面積Ｓｃと同じ大きさにされている。更に、面積Ｓ８から面積Ｓｔに向かって、面積Ｓは漸増している。同様に、面積Ｓ１１から手元側に向かって、面積Ｓは漸増している。
【００２９】
図４は、反発性能の試験方法の説明図である。この図４を参照しつつ、テニスラケット２の反発性能の試験方法が説明される。
【００３０】
テニスラケット２は、試験台２８に載置されている。試験台２８は、平らな載置面３０を備えている。この載置面３０は、水平方向に拡がる平面である。この載置面３０に、ヘッド１２及びヨーク８が載せられる。打球面２４が載置面３０に平行になる様に、テニスラケット２が載置される。言い換えると、縦ストリング２０及び横ストリング２２が載置面３０に平行に延びる様に、テニスラケット２が載置される。図示されない、クランプによって、テニスラケット２は試験台２８に固定されている。
【００３１】
図４の符号Ｐｆは、打球面２４上に位置する点を表している。この点Ｐｆは、直線Ｌｙ上に位置している。両矢印Ｙは、ヘッド１２のトップ（点Ｐ１）から点Ｐｆまでの距離を表している。この距離Ｙは、打球面２４に沿って縦方向に測定される。
【００３２】
この反発性能の試験方法では、この距離Ｙの位置で、打球面２４から所定の高さＨの位置から、テニスボールが自由落下させられる。点Ｐｆで打球面２４に衝突したテニスボールは、跳ね返される。跳ね返されたテニスボールの反発量Ｈｂが測定される。この反発量Ｈｂは、テニスボールの最大到達高さとして求められる。この反発量Ｈｂは、打球面２４からの高さとして求められる。この高さＨに対する高さＨｂの比（Ｈｂ／Ｈ）が求められてもよい。この比（Ｈｂ／Ｈ）が、反発性能として用いられる。この比（Ｈｂ／Ｈ）が大きいほど、反発性能は高い。この試験方法では、ＩＴＦ規格のテニスボールが用いられる。この反発性能の試験方法では、高さＨは、２５４ｃｍに設定されている。この高さＨ及びＨｂは、打球面２４からテニスボール２４の下方位置（下端位置）までの距離として測定される。この高さＨ及びＨｂは、テニスラケット２の厚さ方向の直線距離として測定される。
【００３３】
図５には、テニスラケット２と従来のテニスラケットとの、トップからの距離Ｙと面積比（Ｓ／Ｓｃ）と関係のグラフが示されている。図５のＡは、テニスラケット２の面積比（Ｓ／Ｓｃ）のグラフであり、Ｂは、従来のテニスラケットとしての、市販のテニスラケットの面積比（Ｓ／Ｓｃ）のグラフである。このテニスラケット２では、距離Ｙが１５ｃｍの位置に中央メッシュ２６ｃが位置している。従来のテニスラケットでも、距離Ｙが１５ｃｍの位置に中央メッシュが位置している。この比（Ｓ／Ｓｃ）は、中央メッシュ２６ｃの面積Ｓｃに対する距離Ｙに位置するメッシュ２６の面積Ｓの比として求められる。  
【００３４】
図５に示される様に、このテニスラケット２では、中央メッシュ２６ｃからトップに近づくに従って、面積比（Ｓ／Ｓｃ）が大きくなっている。このテニスラケット２の面積比（Ｓ／Ｓｃ）は、先端側において、従来のテニスラケットのそれに比べて大きくなっている。  
【００３５】
面積Ｓが大きいメッシュ２６では、テニスボールが衝突したときに、面積Ｓが小さいメッシュ２６に比べて大きく撓みうる。この大きな撓みは、大きな反発力を生じさせる。このテニスラケット２では、面積比（Ｓ／Ｓｃ）を大きくすることで、先端側での反発性能を向上している。
【００３６】
図６には、トップからの距離Ｙと反発量との関係が示されている。図６は、図４の反発性能の試験方法で測定されている。図５のＡは、テニスラケット２の反発量Ｈｂのグラフであり、Ｂは、市販のテニスラケットの反発量Ｈｂのグラフである。この反発量Ｈｂは、下方から上方に向かって大きくなっている。
【００３７】
このテニスラケット２では、トップから距離Ｙが６ｃｍの位置の反発量Ｈｂ６  、９ｃｍの位置の反発量Ｈｂ９  、１２ｃｍの位置の反発量Ｈｂ１２のそれぞれが、距離Ｙが１５ｃｍの位置での反発量Ｈｂ１５より大きくなっている。このテニスラケット２では、中央メッシュ２６ｃでの反発量Ｈｂ１５より、打球面２４の先端側での反発量Ｈｂ６  、反発量Ｈｂ９  及び反発量Ｈｂ１２が大きくなっている。これに対して従来のテニスラケットでは、トップからの距離Ｙが小さくなるほど、反発量Ｈｂが小さくなっている。
【００３８】
このテニスラケット２では、中央メッシュ２６ｃでの縦間隔ｙ９が横間隔ｘ１より小さくされている。図示されないが、一般に、従来のテニスラケットでは、中央メッシュでの縦間隔の大きさが横間隔の大きさ以上にされている。これにより、このテニスラケット２では、中央メッシュ２６ｃでの面積Ｓｃと、先端メッシュ２６ｔでの面積Ｓｔとの、比（Ｓｔ／Ｓｃ）は、従来のそれに比べて大きくできる。
【００３９】
このテニスラケット２では、この比（Ｓｔ／Ｓｃ）が大きくされて、１．６以上にされている。このテニスラケット２では、従来のテニスラケットに比べて、比（Ｓｔ／Ｓｃ）が大きい。この比（Ｓｔ／Ｓｃ）が大きいテニスラケット２では、先端メッシュ２６ｔの近傍において、高い反発性能を得られる。このテニスラケット２は、先端部近傍でボールを強く打ち出すことができる。
【００４０】
メッシュ２６の面積Ｓは、中央側から先端側に向かって漸増することが好ましい。言い換えると、中央メッシュ２６ｃから先端メッシュ２６ｔまで、中央から先端に向かってメッシュ２６の面積Ｓが漸増することが好ましい。これにより、反発性能が急激に変化することが抑制される。これにより、打球面２４の中央から先端近傍までの、反発性能の均一化が図られる。
【００４１】
このテニスラケット２では、中央メッシュ２６ｃの面積Ｓｃと、中央メッシュ２６ｃに先端側で隣合うメッシュ２６の面積Ｓ８と、中央メッシュ２６ｃに手元側で隣合うメッシュ２６の面積Ｓ１０と、この面積Ｓ１０のメッシュ２６に手元側で隣合うメッシュ２６の面積１１とが、同じ大きさにされている。本発明では、必ずしも、中央メッシュ２６ｃから先端メッシュ２６ｔまで、面積Ｓが漸増しなくても良い。反発性の均一化を図る観点では、部分的に縦方向の隣合うメッシュ２６の面積Ｓが同じにされてもよい。更に、先端側で高い反発性の得る観点では、中央メッシュ２６ｃの面積Ｓｃより先端メッシュ２６ｔの面積Ｓｔが大きくされ、かつそれぞれのメッシュ２６の面積Ｓは、先端側に隣合う他のメッシュ２６ｃの面積Ｓ以下にされていればよい。
【００４２】
従来のテニスラケットでは、横方向において、中央側から外側に向かって、横間隔ｘが漸増する構成にされている。このテニスラケット２では、横方向一方端から他方端まで、縦ストリング２０は等しい間隔ｘ１で張られている。言い換えると、この縦ストリング２０のピッチは、一定にされている。これにより、中央メッシュ２６ｃの縦間隔ｙ９を小さくしても、中央メッシュ２６ｃの面積Ｓｃが極端に小さくなることが抑制されている。面積Ｓが小さくなり過ぎたメッシュ２６は、反発性能を低下させる。このテニスラケット２では、縦間隔ｙを小さくしても、縦ストリング２０が等しい間隔ｘ１で張られているので、反発性能が大きく損なわれない。
【００４３】
中央メッシュ２６ｃの近傍での反発性能が損なわれることを抑制する観点から、中央メッシュ２６ｃの面積Ｓｃは、好ましくは７０ｍｍ２  以上であり、更に好ましくは９０ｍｍ２  以上であり、特に好ましくは１１０ｍｍ２  以上である。
【００４４】
更に、反発量Ｈｂ６  、反発量Ｈｂ９  、反発量Ｈｂ１２及び反発量Ｈｂ１５の差を小さくすることで、中央から先端近傍で、均一な反発性能を得られる。この均一な反発性能を得る観点から、反発量Ｈｂ６  、反発量Ｈｂ９  、反発量Ｈｂ１２及び反発量Ｈｂ１５において、最小の反発量が最大の反発量の０．９８倍以上であることが好ましい。
【００４５】
このテニスラケット２は、先端側の反発性能に優れている。このテニスラケット２は、モダンスイングに特に適している。
【００４６】
本発明は、先端側での反発性能を高める観点から、環状部１８が横幅より縦幅が大きいテニスラケット２に特に適している。
【００４７】
このテニスラケット２は、１６本の縦ストリング２０と１９本の横ストリング２２とからなるストリングパターンを備えているが、本発明に係るストリングパターンはこれに限られない。例えば、１６Ｘ１８、１６Ｘ２０等他のストリングパターンのテニスラケットにも同様に適用しうる。本発明は、縦ストリング２０の本数が１６本以上１８本以下であり、横ストリング２２の本数が１８本以上２０本以下である場合に、好適である。
【実施例】
【００４８】
以下、実施例によって本発明の効果が明らかにされるが、この実施例の記載に基づいて本発明が限定的に解釈されるべきではない。
【００４９】
［比較テスト］
［実施例１］
図１に示されたテニスラケットＡが準備された。このテニスラケットＡのフェイスサイズと、ストリングパターンと、中央位置と、中央メッシュに対するそれぞれのメッシュの面積比（Ｓ／Ｓｃ）とは、表１に示される通りであった。このラケットフレームＡのストリングパターンは、１６本の縦ストリングと１９本の横ストリングから形成されていた。表１のＭ１は、先端側から１番目のメッシュを表している。このテニスラケットＡでは、Ｍ１からＭ１８まで、先端側から手元側に向かって、１番目から１８番目までのメッシュが形成されていた。中央位置のＭ９は、先端側から９番目のメッシュが中央メッシュであることを表している。
【００５０】
［実施例２−３］
フェイスサイズと、ストリングパターンと、中央位置と、メッシュの面積比（Ｓ／Ｓｃ）とが表１の通りとされたテニスラケットＢ及びＣが準備された。
【００５１】
［比較例１から１０］
市販のテニスラケットＤからＭが準備された。これらのフェイスサイズと、ストリングパターンと、中央位置と、メッシュの面積比（Ｓ／Ｓｃ）とが表１及び表２の通りであった。
【００５２】
【表１】
2019187784.tif 000003
【００５３】
【表２】
2019187784.tif 000004
【００５４】
実施例１から３のテニスラケットでは、中央メッシュＳｃに対する先端メッシュＳｔの比（Ｓｔ／Ｓｃ）は、それぞれ１．８３、１．７７、１．７１であった。これに対して、比較例のテニスラケットでは、この比（Ｓｔ／Ｓｃ）は、大きくても１．５４であった。このことからも、本発明に係るテニスラケットでは、従来のテニスラケットに比べて、比（Ｓ／Ｓｃ）が大きくされていることが明らかである。先端近傍で高い反発性能を発揮する観点から、この比（Ｓ／Ｓｃ）は好ましくは１．６以上であり、更に好ましくは１．７以上である。
【００５５】
［反発量テスト］
［実施例１及び比較例１−５］
前述の実施例１のテニスラケットＡが準備された。また、従来の市販品の例として、比較例１から５のテニスラケットＤからＨが準備された。
【００５６】
［反発性能の評価］
これらのテニスラケットについて、図４の反発性能の試験方法を用いて、反発性能が評価された。この試験方法では、縦ストリングのテンションは、５０（ｌｂｓ）にされ、横ストリングのテンションは４５（ｌｂｓ）にされた。それぞれ３回の測定がされ、その平均値が求められた。その結果が表３に示されている。距離Ｙが６ｃｍの反発量Ｈｂ６  、距離Ｙが９ｃｍの反発量Ｈｂ９  、距離Ｙが１２ｃｍの反発量Ｈｂ１２及び距離Ｙが１５ｃｍの反発量Ｈｂ１５のうち、それぞれのラケットにおいて、最大値を１．００とする指数で、他の反発量が示されている。
【００５７】
【表３】
2019187784.tif 000005
【００５８】
表３に示されるように、実施例１のテニスラケットＡは、従来のテニスラケットに比べて、先端側での反発性に優れている。また、距離Ｙが６ｃｍの位置から１５ｃｍの位置までで、反発量の差が小さくされている。反発量Ｈｂ６  、反発量Ｈｂ９  、反発量Ｈｂ１２及び反発量Ｈｂ１５において、最小の反発量Ｈｂ６  が最大の反発量Ｈｂ１２の０．９８倍以上にされている。
【００５９】
［官能テスト］
［実施例４］
実施例４として本発明に係るテニスラケットＮが準備された。このテニスラケットＮでは、縦ストリングの間隔は均等にされ、横ストリングの間隔は、中央側で密にされ外側に向かって漸増していた。表４のＭ１、Ｍ３、Ｍ６、Ｍ９、Ｍ１２、Ｍ１５及びＭ１８は、表１と同様に、先端側から何番目のメッシュであるかを表している。表４には、Ｍ１、Ｍ３、Ｍ６、Ｍ９、Ｍ１２、Ｍ１５及びＭ１８のメッシュの比（Ｓ／Ｓｃ）が表されている。
【００６０】
［比較例１１］
市販品の一例として、比較例１１のテニスラケットＰが準備された。このテニスラケットＰでは、縦ストリングの間隔及び横ストリングの間隔は、中央側で密にされ外側に向かって漸増していた。表４には、このテニスラケットＰの、Ｍ１、Ｍ３、Ｍ６、Ｍ９、Ｍ１２、Ｍ１５及びＭ１８のメッシュの比（Ｓ／Ｓｃ）が表されている。
【００６１】
［比較例１２−１４］
縦ストリングの間隔と横ストリングの間隔とメッシュの比（Ｓ／Ｓｃ）とが、表４に示される様にされた他は、実施例１と同様にして、テニスラケットＱ、Ｒ及びＳが制作された。テニスラケットＱでは、メッシュの形状は正方形であった。
【００６２】
［官能評価］
これらのテニスラケットを上級者に官能評価させた。上級者にスイートエリアの広さ、手に伝わる振動の大きさ、スピンのかけ易さ及び総合評価をさせた。その結果が表４に示されている。この結果は、比較例１を基準値５０とする数値で表されている。この数値が大きいほど好ましい。この総合評価は、比較例１を基準値３とする５段階の数値で表されている。この数値が大きいほど好ましい。
【００６３】
【表４】
2019187784.tif 000006
【００６４】
実施例４のテニスラケットＮでは、比（Ｓｔ／Ｓｃ）が大きくされつつ、中央メッシュの面積Ｓｃが比較的に大きくされている。これにより、中央近傍から先端近傍までの広い打球面で、振動の吸収性に優れている。このテニスラケットＮは、スピンのかけ易さにも優れている。このテニスラケットＮは、比較例のテニスラケットに比べて評価が高い。この評価結果から、本発明の優位性は明らかである。
【産業上の利用可能性】
【００６５】
以上説明された方法は、硬式テニス用ラケットに広く適用されうる。
【符号の説明】
【００６６】
２・・・テニスラケット
４・・・ラケットフレーム
６・・・ストリング
８・・・ヨーク
１０・・・グリップ
１２・・・ヘッド
１４・・・スロート
１６・・・シャフト
１８・・・環状部
２０・・・縦ストリング
２２・・・横ストリング
２４・・・打球面
２６・・・メッシュ
２８・・・試験台
３０・・・載置面
【図１】
2019187784.tif 000007
【図２】
2019187784.tif 000008
【図３】
2019187784.tif 000009
【図４】
2019187784.tif 000010
【図５】
2019187784.tif 000011
【図６】
2019187784.tif 000012